【手続補正書】
【提出日】平成22年6月24日(2010.6.24)
【手続補正１】
【補正対象書類名】明細書
【補正対象項目名】０００４
【補正方法】変更
【補正の内容】
【０００４】
また、１本の光ファイバを多くのＯＮＵで共有し、各ＯＮＵユーザーからの要求に応じて出来るだけ多くのＯＮＵに公平に多くのデータを送信できるようにＯＬＴが各ＯＮＵの上りの帯域（データ送信位置／時間）を割り当てるＤＢＡ（Dynamic Bandwidth Allocation）技術もＩＴＵ−Ｔ勧告Ｇ.９８３.４で規定されている。この技術に基づく帯域制御も行われている。
【手続補正２】
【補正対象書類名】明細書
【補正対象項目名】００１７
【補正方法】変更
【補正の内容】
【００１７】
図３を参照して、光アクセス網における帯域設定を説明する。ここで、図３は光アクセス網の帯域設定を説明する図である。図３において、光アクセス網の全帯域１０００の一部には、各ＯＮＵ３００−１〜ｎに対して事前に保証した帯域１０００−１〜１０００−ｎがある。具体的には、ＯＮＵ３００−１には５Ｍｂｉｔ／ｓ、ＯＮＵ３００−２には１５Ｍｂｉｔ／ｓなどである。これら保証帯域１０００−１〜ｎの総和を全帯域１０００から差し引いた残りの帯域１０１０を、各ＯＮＵ３００−１〜ｎに、それぞれの保証帯域１０００−１〜１０００−ｎの比に応じて分配する。この分配される帯域１０１０の量は、保証帯域１０００−１〜１０００−ｎが変更されるたびに更新する。
【手続補正３】
【補正対象書類名】明細書
【補正対象項目名】００２８
【補正方法】変更
【補正の内容】
【００２８】
幹線ファイバ１１０から受信された上り信号は、ＷＤＭフィルタ２０６にて分離される。Ｏ／Ｅ変換部２０７は、光信号を電気信号に変換する。ＡＴＣ（Automatic Threshold Control）２０８は、適切なしきい値によって０値または１値の識別を行う。クロック抽出部２０９は、クロック抽出およびリタイミングを行う。さらにデリミタ検出部２１０は、上り信号の切れ目を識別する。ＰＯＮフレーム分解部２１１は、ＰＯＮフレームを分解し、キュー長領域に格納されたキュー長レポートをグラント生成部２３０に送る。また、距離測定部２１２は、ＯＮＵ３００との距離測定を実施する。測定された距離測定値は、ＯＨ管理テーブル部２１３に格納される。
【手続補正４】
【補正対象書類名】明細書
【補正対象項目名】００３４
【補正方法】変更
【補正の内容】
【００３４】
図８を参照して、下り帯域シェーパの構成を説明する。ここで、図８は下り帯域シェーパおよびその周辺のブロック図である。図８において、ＯＬＴ下りシェーパ２６６は、Ａｌｌｏｃ ＩＤ付与部２６０、パケットメモリ２６１、キュー２６２、ＣＰＵ２５２、帯域情報生成部２６４、帯域情報テーブル部（下り）２６５を有する。網ＩＦ２０１は、受信したパケットをパケットバッファ２０２に格納する。Ａｌｌｏｃ ＩＤ付与部２６０は、パケットバッファ２０２からパケットを読み出し、読み出したパケットのヘッダに応じてパケットの宛先のＡｌｌｏｃ ＩＤを識別して、パケットに付与する。Ａｌｌｏｃ ＩＤ付与部２６０は、かつ、Ａｌｌｏｃ ＩＤ毎のパケット受信数をＣＰＵ２５２に報告する。パケットは、パケットメモリ２６１に格納され、順次キュー２６２に転送される。キュー２６２は、ＣＰＵ２５２の指示によるタイミングで、ＰＯＮフレーム生成部２０３に送信する。
【手続補正５】
【補正対象書類名】明細書
【補正対象項目名】００３８
【補正方法】変更
【補正の内容】
【００３８】
図１０を参照して、ＯＭＣＩメッセージを構成するＯＭＣＣフレームを説明する。ここで、図１０はＯＭＣＣフレームのフォーマットである。図１０において、ＯＭＣＣフレームは、ヘッダ１１０１、個別のメッセージ番号および種別１１０２と、メッセージ内容１１０３で構成される。
【手続補正６】
【補正対象書類名】明細書
【補正対象項目名】００４３
【補正方法】変更
【補正の内容】
【００４３】
図１３を参照して、帯域情報通知に係るＯＬＴの動作を説明する。ここで、図１３は帯域情報通知に係るＯＬＴのフローチャートである。図１３において、ＯＬＴ２００は、ＯＮＵからの帯域情報要求を待つ（Ｓ１０１）。ＯＮＵ＃ｉから帯域情報要求がＯＭＣＩを通じて到着すると（Ｓ１０１：ＹＥＳ）、ＯＬＴ２００は、ＯＮＵ＃ｉの現在の帯域設定情報を読み出す（Ｓ１０２）。次に、ＯＬＴ２００は、キュー長レポートからＯＮＵ＃ｉの現在実際に稼動している帯域を読み出す（Ｓ１０３）。そして、ＯＬＴ２００は、それらの値からＯＮＵ＃ｉのＢｅｓｔ Ｅｆｆｏｒｔ値を計算する（Ｓ１０４）。さらに、ＯＬＴ２００は、現在の空き領域情報からＯＮＵ＃ｉの割当可能な領域の計算する（Ｓ１０６）。ＯＬＴ２００は、ＯＮＵ＃ｉの帯域情報更新が完了したか判定する（Ｓ１０７）。ステップ１０７で完了を判定したとき（ＹＥＳ）、ＯＬＴ２００は、ＯＭＣＩによってＯＮＵ＃ｉに帯域情報を送信する（Ｓ１０８）。ＯＬＴ２００は、ＯＭＣＩによるＯＮＵ＃ｉから受信完了通知があるか判定する（Ｓ１０９）。ＹＥＳならば、ＯＬＴ２００は、ステップ１０１に遷移する。ステップ１０９でＮＯならば、ＯＬＴ２００は、帯域情報送信から１０秒経過したか判定する（Ｓ１１１）。ＹＥＳならば、ＯＬＴ２００は、エラー処理して（Ｓ１１２）ステップ１０１に遷移する。ステップ１１１でＮＯであればステップ１０９に遷移する。
【手続補正７】
【補正対象書類名】明細書
【補正対象項目名】００４５
【補正方法】変更
【補正の内容】
【００４５】
図１５を参照して、ＯＬＴとＯＮＵとの間の帯域情報通知動作を説明する。ここで、図１５はＯＬＴと３台のＯＮＵとのシーケンス図である。図１５において、ＯＮＵ３００−１は、ＯＬＴ２００に向けて帯域情報問合せ信号を送信する（Ｓ２０１）。ＯＬＴ２００は、ＯＮＵ３００−１の帯域情報を更新開始する（Ｓ２０２）。この更新実行時間中に他のＯＮＵ３００−２、３００−３からも同様に帯域情報問合せ信号が送信される（Ｓ２０３、Ｓ２０６）。その場合は、先に実行開始したＯＮＵ３００−１のための帯域情報更新が終わるまで、ＯＮＵ３００−２の帯域情報要求を保持する（Ｓ２０４）。同様に、先に実行開始したＯＮＵ３００−１のための帯域情報更新とＯＮＵ３００−２のための帯域情報更新が終わるまで、ＯＮＵ３００−３の帯域情報要求を保持する（Ｓ２０７）。
【手続補正８】
【補正対象書類名】明細書
【補正対象項目名】００５３
【補正方法】変更
【補正の内容】
【００５３】
また、上述した実施例の変形例として、図４のＯＮＵ３００におけるボタンＯＮ／ＯＦＦ検出部３２６と表示部３２５の信号を該ＯＮＵ３００に接続される端末４００、４１０が電気的に直接送受信することができる。信号形式が合わない場合は、ＣＰＵを介して変換することが可能である。帯域設定情報を該端末が直接に読み出し、該端末自身が自律的に通信帯域の最適化を行う。
【手続補正９】
【補正対象書類名】明細書
【補正対象項目名】００５４
【補正方法】変更
【補正の内容】
【００５４】
また、他の変形例として、図９における帯域情報テーブル２７９を定期的にＯＬＴ２００の外に接続されたサーバに書き込み、ＯＮＵ３００に接続された端末４００、４１０が自ら該サーバに問い合わせて読み出す方法が考えられる。
【手続補正１０】
【補正対象書類名】図面
【補正対象項目名】図１８
【補正方法】変更
【補正の内容】
【図１８】
2010004259.tif 000001
【手続補正１１】
【補正対象書類名】図面
【補正対象項目名】図１９
【補正方法】変更
【補正の内容】
【図１９】
2010004259.tif 000002